(57)【要約】【課題】美観を向上することができるストール、およびストールセットを提供する。【解決手段】ストール１は、対角線７を対称の軸として線対称の形状を有する布状の本体部２と、本体部２における対角線７の両端付近の頂点にそれぞれ設けられた、ボタン４，５と、本体部２における対角線７の両側の領域２ａ，２ｂのうち一方の領域２ａのみに設けられ、ボタン４，５と係合可能なボタンホール６とを備えた【選択図】図１
2015094036.tif 000002
【特許請求の範囲】
【請求項１】
一の直線を対称の軸として線対称の形状を有する布状の本体部と、
前記本体部における前記直線の両端付近にそれぞれ設けられた、第１係合部と、
前記本体部における前記直線の両側の領域のうち一方の領域のみに設けられ、前記第１係合部と係合可能な第２係合部とを備えたストール。
【請求項２】
前記本体部は、前記直線と直交する方向の長さである幅が、前記直線の中央付近において最大となり、前記中央付近から遠ざかるにつれて小さくなる請求項１記載のストール。
【請求項３】
前記本体部の周縁の少なくとも一部には、前記周縁から外側に向かって延びる装飾部が延設されている請求項１又は２記載のストール。
【請求項４】
前記第２係合部は、前記本体部の前記一方の領域側の周縁付近に配設されている請求項１〜３のいずれか１項に記載のストール。
【請求項５】
前記第２係合部は、複数、互いに異なる位置に設けられている請求項１〜４のいずれか１項に記載のストール。
【請求項６】
前記第１係合部はボタンであり、
前記第２係合部はボタンホールである請求項１〜５のいずれか１項に記載のストール。
【請求項７】
前記直線を折り畳み線として折り畳まれている請求項１〜６のいずれか１項に記載のストール。
【請求項８】
請求項１〜７のいずれか１項に記載のストールを複数含み、
前記各ストールにおける前記両端付近の前記各第１係合部のうち少なくとも１つは、他のストールの前記第２係合部に係合されているストールセット。
【請求項９】
前記各ストールのうち少なくとも１つは、前記本体部の色、模様、及び形状のうち少なくとも１つが他のストールとは異なる請求項８記載のストールセット。
【発明の詳細な説明】
【技術分野】
【０００１】
本発明は、衣類として用いられるストール、及びストールセットに関する。
【背景技術】
【０００２】
従来より、ストールの両側側縁部に、ボタン及びボタン止めループを列設したものが知られている（例えば、特許文献１参照）。このストールによれば、身につけて適宜ボタンとボタン留めループとを掛け止めることにより、ストールの形態を変形させることができる。
【先行技術文献】
【特許文献】
【０００３】
【特許文献１】実用新案登録第３１３３２８１号公報
【発明の概要】
【発明が解決しようとする課題】
【０００４】
しかしながら、上述のストールによれば、ボタン止めループにボタンが掛け止めされた箇所が見えるので、美観が損なわれるという、不都合があった。
【０００５】
本発明の目的は、美観を向上することができるストール、およびストールセットを提供することである。
【課題を解決するための手段】
【０００６】
本発明に係るストールは、一の直線を対称の軸として線対称の形状を有する布状の本体部と、前記本体部における前記直線の両端付近にそれぞれ設けられた、第１係合部と、前記本体部における前記直線の両側の領域のうち一方の領域のみに設けられ、前記第１係合部と係合可能な第２係合部とを備える。
【０００７】
この構成によれば、ストールの本体部は、一の直線を対称の軸として線対称の形状を有しているので、この直線を折り畳み線としてストールを折り畳むと、前記両側の領域が重なり合う。第２係合部は、一方の領域のみに設けられているので、その両側の領域が重なり合うと、一方の領域に設けられた第２係合部は他方の領域で覆われ、隠される。従って、この状態で第２係合部に第１係合部を係合させると、第２係合部と第１係合部との係合部分は他方の領域で覆われて隠された状態となるので、美観を向上することができる。
【０００８】
また、前記本体部は、前記直線と直交する方向の長さである幅が、前記直線の中央付近において最大となり、前記中央付近から遠ざかるにつれて小さくなることが好ましい。
【０００９】
この構成によれば、略菱形の形状を有し、二つに折り畳んで略三角形にして着用するタイプのストールに、本発明を適用することができる。
【００１０】
また、前記本体部の周縁の少なくとも一部には、前記周縁から外側に向かって延びる装飾部が延設されていることが好ましい。
【００１１】
この構成によれば、装飾部によりストールを装飾することができるので、ストールのデザイン性を向上することができる。
【００１２】
また、前記第２係合部は、前記本体部の前記一方の領域側の周縁付近に配設されていることが好ましい。
【００１３】
第１係合部と第２係合部とを係合させたとき、第１及び第２係合部付近の生地が重なり合うことになる。第２係合部が前記一方の領域の中央付近に設けられていた場合、この重なり合う生地の面積が大きくなる結果、ストールを見る人に、ストールが小さい印象を与えることになる。一方、本発明に係るストールは、前記本体部の前記一方の領域側の周縁付近に第２係合部が配設されているので、第２係合部が前記一方の領域の中央付近に設けられている場合と比べて、重なり合う生地の面積が小さくなる結果、ストールを大きく見せることができる。
【００１４】
また、前記第２係合部は、複数、互いに異なる位置に設けられていることが好ましい。
【００１５】
この構成によれば、第１係合部を係合させる対象の第２係合部を選択することにより、第１係合部を係合させる位置を変化させることができる。第１係合部の係合位置が変化すると、ストールの外観が変化するので、ユーザの好みに応じてストールのデザインを変化させることが可能となる。
【００１６】
また、前記第１係合部はボタンであり、前記第２係合部はボタンホールであることが好ましい。
【００１７】
この構成によれば、上述のようにストールを折り畳むと、第２係合部は隠れるが、第２係合部と係合しない第１係合部は隠れない。この場合、ボタンホールよりもボタンの方が、デザイン性が高いので、隠れないことがある第１係合部をボタンホールにするよりも、ボタンにした方が、ストールの美観を向上することが容易となる。
【００１８】
また、前記直線を折り畳み線として折り畳まれていることが好ましい。
【００１９】
この構成によれば、第２係合部と第１係合部との係合部分が隠されて、美観が向上する。
【００２０】
また、本発明に係るストールセットは、上述のストールを複数含み、前記各ストールにおける前記両端付近の前記各第１係合部のうち少なくとも１つは、他のストールの前記第２係合部に係合されている。
【００２１】
この構成によれば、複数のストールが連結されてストールセットが構成されるので、複数のストールの組み合わせにより美観を生じさせることができる。これにより、ストールセットのデザインの自由度が増大し、ユーザの好みに応じて美観を生じさせることが可能となる。
【００２２】
また、前記各ストールのうち少なくとも１つは、前記本体部の色、模様、及び形状のうち少なくとも１つが他のストールとは異なることが好ましい。
【００２３】
この構成によれば、異なるデザインのストールが複数組み合わされてストールセットが構成されるので、ストールセットのデザイン性を向上させることができる。
【発明の効果】
【００２４】
このような構成のストール、およびストールセットは、その美観を向上することができる。
【図面の簡単な説明】
【００２５】
【図１】本発明の第１実施形態に係るストールの構成の一例を示す平面図である。
【図２】図１に示すストールを、対角線で折り畳んだ状態を示す説明図である。
【図３】図１に示すストールの使用状態を説明するための説明図である。
【図４】図３に示すストールの他の使用状態を説明するための説明図である。
【図５】図３に示すストールの他の使用状態を説明するための説明図である。
【図６】本発明の第２実施形態に係るストールセットの構成の一例を説明するための説明図である。
【図７】図６に示すストールセットの他の使用状態を説明するための説明図である。
【発明を実施するための形態】
【００２６】
以下、本発明に係る実施形態を図面に基づいて説明する。なお、各図において同一の符号を付した構成は、同一の構成であることを示し、その説明を省略する。
（第１実施形態）
【００２７】
図１は、本発明の第１実施形態に係るストールの構成の一例を示す平面図である。図１に示すストール１は、本体部２と、装飾部３と、ボタン４，５（第１係合部）と、ボタンホール６（第２係合部）とを備えている。本体部２は、織物、編み物（メリヤス生地）、レース、フェルト、不織布、及び樹脂シート等、種々の布状の部材により構成することができる。本体部２の厚さは、例えば０．５ｍｍ程度とされている。
【００２８】
本体部２は、例えば菱形の形状を有し、対角線７（直線）を対称の軸として線対称の形状を有する。また、本体部２は、対角線７と直交する方向の長さである幅が、対角線７の中央部８において最大となり、中央部８から遠ざかるにつれて小さくなる。また、本体部２は、種々の色彩や模様を有することができる。本体部２の対角線７の長さは、例えば１ｍ程度、本体部２の幅の最大値、すなわち幅方向の対角線の長さは、例えば３５ｃｍ程度とされている。また、本体部２に装飾部３を加えたストール１全体の幅の最大値は、例えば４０ｃｍ程度とされている。
【００２９】
ストール１は、対角線７を折り畳み線として折り畳まれて着用される。なお、本体部２は、必ずしも菱形でなくてもよく、その幅が、対角線７の中央部８において最大となり、中央部８から遠ざかるにつれて小さくなる形状でなくてもよい。例えば、本体部２は、長方形の形状を有し、長手方向に延びる中央線を対称の軸として線対称の形状であってもよい。
【００３０】
装飾部３は、本体部２の周縁から、幅方向に沿って外側に向かって延びるように延設されている。装飾部３は、ストール１の審美性を向上させるための装飾であり、種々の形状を取り得る。装飾部３と本体部２とは、例えば１枚の布から切り出される等して構成されており、装飾部３は、本体部２と同じ布状の部材により連続的に構成されている。なお、装飾部３は、本体部２とは別の部材であってもよく、例えば本体部２の周縁に、装飾部３が縫い合わされて取り付けられていてもよい。装飾部３は、本体部２と同一又は異なる種々の色彩及び模様を有することができる。また、装飾部３を備えていなくてもよい。
【００３１】
本体部２の、対角線７の両端に位置する頂点部分には、ボタン４，５がそれぞれ取り付けられている。ボタン４，５は、例えば直径１８ｍｍ程度の丸形ボタンである。図１は、ボタン４，５を側面から見た状態を示している。
【００３２】
本体部２を、対角線７の一方の側の領域２ａと、対角線７の他方の側の領域２ｂとに分けた場合、領域２ａ側の、本体部２の周縁付近、例えば周縁から１０ｍｍ以内の位置に、複数のボタンホール６が設けられている。ボタンホール６は、ボタン４，５と係合可能にされている。ボタンホール６は、領域２ａにのみ設けられ、領域２ｂには設けられていない。
【００３３】
なお、第１係合部と第２係合部は、互いに係合可能であればよく、ボタンとボタンホールに限らない。例えば、面ファスナーを用いて、面ファスナーのフックとループとをボタンとボタンホールの代わりに用いてもよい。
【００３４】
図２は、図１に示すストール１を、対角線７で折り畳んだ状態を示す説明図である。ストール１を対角線７で折り畳むと、領域２ａと領域２ｂとが重なり合って、ボタンホール６が領域２ｂで覆われ、見えなくなる。ストール１は、使用状態では、図２に示すように対角線７で折り畳まれて用いられる。従って、ストール１によれば、使用状態ではボタンホール６や、ボタンホール６に係合したボタン４，５は領域２ｂで覆われ、見えなくなるから、美観が向上する。
【００３５】
なお、装飾部３は、必ずしも対角線７を対称の軸として線対称の形状でなくてもよい。装飾部３は、ストール１を対角線７で折り畳んだ場合に、必ずしも重なり合わなくてもよい。
【００３６】
図３は、図１に示すストール１の使用状態を説明するための説明図である。図３（ａ）は、ストール１を肩に掛けて正面から見た図である。図３（ｂ）は、ストール１を肩に掛けて後方から見た図である。図３（ａ）は、ボタン５をボタンホール６に係合させた場合の例を示している。
【００３７】
図３（ａ），（ｂ）に示すように、ストール１を着用すると、ボタンホール６は領域２ｂで覆われて、正面からも、後方からも見えなくなる。また、ボタンホール６と係合されたボタン５も領域２ｂに隠れて見えなくなる。これにより、ストール１の美観を向上することができる。
【００３８】
また、ストール１には、ボタンホール６が複数設けられているので、ボタン５を係合させるボタンホール６の位置を変えることによって、ストール１のデザインを変化させることができる。あるいは、ストール１のボタン４とボタン５とを、両方ともボタンホール６に係合させてもよい。これにより、ストール１のデザインをユーザの好みに合わせたり、デザイン性を向上させたりすることが容易となる。
【００３９】
図４、図５は、図３に示すストール１の他の使用状態を説明するための説明図である。図４は、ストール１を腰巻きとして用いた場合の例を示している。図４に示すように、ストール１を腰巻きとして用いた場合であっても、図３に示すように肩掛けとして用いた場合と同様、ボタンホール６や、ボタンホール６と係合されたボタン５が領域２ｂに隠れて見えなくなるので、ストール１の美観を向上することができる。
【００４０】
図５は、ストール１を２つ用いた場合の例を示している。図５（ａ）は正面から見た図を示し、図５（ｂ）は後方から見た図を示している。図５（ａ）に示す例では、スカートの前側に、ボタンホール６と同程度の大きさの開口部を有する楕円形のリング１１，１２が取り付けられている。スカートの後ろ側には、ボタンが２つ係合できる大きさの楕円形のリング１３が取り付けられている。
【００４１】
そして、一方のストール１のボタン５が前側のリング１１に、ボタン４が後ろ側のリング１３にそれぞれ係合されている。また、他方のストール１のボタン４が前側のリング１２に、ボタン５が後ろ側のリング１３にそれぞれ係合されている。図５に示すように、ストール１を２つ用いた場合であっても、ボタンホール６や、ボタンホール６と係合されたボタン５が領域２ｂに隠れて見えなくなるので、ストール１の美観を向上することができる。
（第２実施形態）
【００４２】
図６は、本発明の第２実施形態に係るストールセット９の構成の一例を説明するための説明図である。図６（ａ）は正面から見た図を示し、図６（ｂ）は後方から見た図を示している。図６に示すストールセット９は、図１に示すストール１と同様に構成された２つのストール１ａ，１ｂが組み合わされて構成されている。
【００４３】
具体的には、前方側では、図６（ａ）に示すように、一方のストール１ａのボタン５が他方のストール１ｂのボタンホール６に係合され、ストール１ｂのボタン４が他方のストール１ａのボタンホール６に係合されている。後方側では、図６（ｂ）に示すように、ストール１ａのボタン４がストール１ｂのボタンホール６に係合され、ストール１ｂのボタン５が他方のストール１ａのボタンホール６に係合されている。
【００４４】
このように構成されたストールセット９によれば、ストール１ａのボタン４，５及びボタンホール６と、ストール１ｂのボタン４，５及びボタンホール６とが、いずれも領域２ｂに隠れて見えなくなるので、ストールセット９の美観を向上することができる。
【００４５】
また、ストール１ａと、ストール１ｂとは、本体部２の色、模様、及び形状のうち少なくとも１つを、互いに異ならせることができる。これにより、デザインの異なるストール１ａとストール１ｂとを、ユーザの好みに応じて自由に組み合わせることによって、ユーザの好みのストールセット９を構成することができる。これにより、ストールセット９のデザインの自由度を向上させることができるので、ストールセット９のデザインをユーザの好みに合わせたり、デザイン性を向上させたりすることが容易となる。
【００４６】
なお、必ずしもストール１ａ，１ｂのボタン４，５が、ボタンホール６と係合されている例に限らない。例えば、図７に示すように、ストール１ａ，１ｂのボタン５のみが他方のストールのボタンホール６に係合される構成であってもよい。
【００４７】
図７（ａ）は前方から見た図、図７（ｂ）は後方から見た図である。図７に示すストールセット９は、前方側では、図７（ａ）に示すように、ストール１ａのボタン５がストール１ｂのボタンホール６に係合されている。後方側では、図７（ｂ）に示すように、ストール１ｂのボタン５がストール１ａのボタンホール６に係合されている。
【００４８】
ストール１ａ，１ｂには、それぞれボタンホール６が複数設けられているので、ボタン５を係合させるボタンホール６の位置を変えることによって、ストールセット９のデザインを変化させることができる。例えば、ストール１ａ，１ｂのボタン５を、図７に示すように他方のストールにおけるボタン４から遠い位置のボタンホール６に係合したり、あるいは他方のストールにおけるボタン４に近い位置のボタンホール６に係合したりすることにより、ストールセット９のデザインを変化させることができるので、ストールセット９のデザインをユーザの好みに合わせたり、デザイン性を向上させたりすることが容易となる。
【符号の説明】
【００４９】
１，１ａ，１ｂ    ストール
２    本体部
２ａ，２ｂ  領域
４，５      ボタン（第１係合部）
６    ボタンホール（第２係合部）
７    対角線（直線）
８    中央部
９    ストールセット
【図１】
2015094036.tif 000003
【図２】
2015094036.tif 000004
【図３】
2015094036.tif 000005
【図４】
2015094036.tif 000006
【図５】
2015094036.tif 000007
【図６】
2015094036.tif 000008
【図７】
2015094036.tif 000009